(57)【特許請求の範囲】
【請求項１】
ＬＥＤ基板の主面に多数のＬＥＤ素子を実装した外形が矩形を呈する複数のＬＥＤパネルを縦方向に装架して成る大光量投光器であって、
複数個の前記ＬＥＤパネルの前記縦軸方向で対向する上下辺をそれぞれ橋絡して横軸方向に並置し、該ＬＥＤパネルの縦軸回りで左右方向に回動して該ＬＥＤパネルの光投射面を個別に位置調整して固定可能に装架する可動枠と、
前記可動枠の横軸方向で対向する左右辺で支持し、当該可動枠の横軸回りで仰角と伏角の上下方向に前記可動枠に装架された前記ＬＥＤパネルの光投射方向を一体的に調整して固定するための固定枠と、
を有し、
前記ＬＥＤパネルは、前記ＬＥＤ基板の背面を密着固定する凹部からなるＬＥＤ基板収容部を有して、該ＬＥＤ基板収容部の背面で、前記縦軸方向の上下に延在し横軸方向の左右に並設した複数のコ字状断面の溝を有する本体部と、前記本体部１の前記コ字状断面の溝の開放部を塞いで該本体部と共に煙突効果で気流を発生させるための通気路を形成する蓋体とからなる脱熱部材を具備し、
前記本体部の前記通気路を構成する蓋体の前記通気路とは反対面に，前記蓋体にスペーサを介して取り付けられた電源ユニットを有し、
前記スペーサの長さを調整して前記蓋体との間に空気を流通させるための所望の間隙を形成することを特徴とする大光量投光器。
【請求項２】
請求項１において、
前記本体部の前記通気路を構成するコ字状断面の溝の内壁に当該溝の延在方向に沿った多数の突条を有することを特徴とする大光量投光器。
【請求項３】
請求項１において、
前記本体部の前記通気路を構成するコ字状断面の溝の内壁に多数の突起を有することを特徴とする大光量投光器。
【請求項４】
請求項１乃至３において、
前記電源ユニットは、電源ユニット防水カバーに収納されていることを特徴とする大光量投光器。
【請求項５】
請求項１乃至４において、
前記ＬＥＤパネルは、前記ＬＥＤ基板の主面に設置して前記多数のＬＥＤの発光光を前方に反射するリフレクターを有し、
前記リフレクターの全面を含む前記ＬＥＤパネルの全面を覆って前記ＬＥＤ基板収容部を防水する光透過保護板を具備することを特徴とする大光量投光器。
【請求項６】
請求項５において、
前記リフレクターには、前記ＬＥＤ基板の主面に実装した前記ＬＥＤ素子のそれぞれを個別に取り囲むファンネル状反射面が形成されていることを特徴とする大光量投光器。
【請求項７】
請求項５において、
前記リフレクターは、前記ＬＥＤパネルの前記ＬＥＤ基板について複数に区分して設置されていることを特徴とする大光量投光器。
【発明の詳細な説明】
【技術分野】
【０００１】
本発明は、発光手段として多数のＬＥＤ素子を配置したＬＥＤパネルを複数用いたＬＥＤ投光器に係り、特に点灯駆動に伴うＬＥＤパネルの発熱を放熱する放熱構造を備えた大光量ＬＥＤ投光器に関する。
【背景技術】
【０００２】
発光性能の向上と低消費電力という特性から、発光デバイスにＬＥＤ素子（発光ダイオード、以下単にＬＥＤとも称する）を用いた照明器具が実用化されている。ＬＥＤを用いた照明器具は、多数のＬＥＤを灯器に搭載して構成した屋内照明用の比較的低光量出力の電灯型から、公共施設や競技場などの照明に用いる大型投光器まで多様な光出力、形状、サイズのものが実用化されている。
【０００３】
大光量が要求されるＬＥＤ投光器は、複数のＬＥＤを縦横に配列して全体として大光量のＬＥＤパネルとしている。このようなＬＥＤパネルは、家庭や事務所等の比較的狭いエリアで使用されるＬＥＤ照明器具に比べ、一つのＬＥＤパネルに搭載されるＬＥＤの数が多く、このＬＥＤパネルを複数配列して大光量投光器とした場合には、その発熱量は極めて大きなものとなる。
【０００４】
ＬＥＤ素子は電流駆動であり、発光に寄与しない電力は熱となって灯器に滞留する。ＬＥＤパネルを複数の配列した大光量投光器の場合には、通常の放熱フィンを備えたヒートシンクでは十分な放熱効果を得ることは困難である。強制冷却ファンや液体循環冷却構造を備えたものもあるが、設置コストの増加は無視できない。
【０００５】
このような大光量ＬＥＤ投光器における発熱の処理（放熱）構造に関する従来技術を開示したものとしては、特許文献１、特許文献２、特許文献３などを挙げることができる。
【０００６】
特許文献１に開示のＬＥＤ照明装置は、多数のＬＥＤを配列したＬＥＤ基板の背面に放熱フィン構造を有するヒートシンクを設けた集魚灯を開示する。ＬＥＤ基板には厚手の銅箔を積層した基板を採用して熱抵抗を低減し、強制冷却用のファン無し脱熱構造を実現するとしている。また、特許文献２も同様に、銅板を積層したＬＥＤ基板の背面に放熱フィンを形成したヒートシンクを設けて放熱構造とした街灯を開示する。
【０００７】
特許文献３に開示された集魚灯は、複数のＬＥＤを搭載した基板、電源部、循環ファンを有する冷却部を防水ケースに収納し、防水ケース内部に空気を循環させることで、ＬＥＤ等を冷却するようにしている。
【先行技術文献】
【特許文献】
【０００８】
【特許文献１】特開２００６−８６２３０号公報
【特許文献２】特開２０１３−５１２５６０号公報
【特許文献３】実用新案登録第３０９９７４１号
【発明の概要】
【発明が解決しようとする課題】
【０００９】
特許文献１と特許文献２に示された放熱は、その本体としてアルミニウムなどの金属バルクの押し出し成形などで冷却フィンを形成したものであるため、出力光量の大きな大光量投光器に適用した場合には放熱構造自体の重量で投光器全体の重量が過大なものとなる。そのため、特に競技場などの広いエリアの照明のための大光量投光器として設置する場合には、投光機本体だけでなく、付帯的設備である取り付け架台の強靭化を必要とするため、材料コストが高く、投光器の設置作業も困難となり、コストの低減にも限界がある。
【００１０】
また、送風ファンを用いて強制的にＬＥＤの脱熱を行う強制空冷構造は、それ冷却機構自体の電力消費も大きく、全体構成の部品点数もかなり多くなる。特許文献３に開示されたような密閉構造は限られた容積の空気循環で脱熱を行うものであるため、放熱能力に限界があると考えられる。そして、個々のＬＥＤパネルに冷却装置を持たせるものでは、多数のＬＥＤパネルを配置した大光量の投光装置を構成するには、コスト高になる。
【００１１】
上記したように、従来のＬＥＤ照明器具の放熱構造を大型（大光量）の投光器にそのまま適用することは、器具の製造コスト、完成した投光器の設置に要する付帯的なコストを考慮すると、現実的でない。本発明の目的は、重量のある材料や複雑な構成の放熱構造を用いることなく、また放熱ファンなどの強制冷却手段を用いることなく、比較的簡単な構造で、かつ組立作業も容易な軽量の大光量ＬＥＤ投光器を提供することにある。
【課題を解決するための手段】
【００１２】
上記目的を達成するため、本発明に係る大光量ＬＥＤ投光器は、以下に記述する構成とした。なお、ここでは、本発明の構成を理解し易くするために、実施例の図面における参照符合を付記して記述するが、本発明は付記した符号で示される実施例に限定されるものではない。
【００１３】
（１）ＬＥＤ基板２１の主面に多数のＬＥＤ素子２を実装した外形が矩形を呈する複数のＬＥＤパネル１０を縦方向に装架して成る大光量投光器１００であって、
複数個の前記ＬＥＤパネル１０の前記縦軸方向で対向する上下辺をそれぞれ橋絡して横軸方向に並置し、該ＬＥＤパネル１０の縦軸回りで左右方向に回動して該ＬＥＤパネル１０の光投射面を個別に位置調整して固定可能に装架する可動枠８と、
前記可動枠８の横軸方向で対向する左右辺で支持し、当該可動枠の横軸回りで仰角と伏角の上下方向に前記可動枠８に装架された前記ＬＥＤパネル１０の光投射方向を一体的に調整して固定するための固定枠９と、
を有し、
前記ＬＥＤパネル１０は、前記ＬＥＤ基板２１の背面を密着固定する凹部からなるＬＥＤ基板収容部１６を有して、該ＬＥＤ基板収容部１６の背面で、前記縦軸方向の上下に延在し横軸方向の左右に並設した複数のコ字状断面の溝７１を有する本体部１と、前記本体部１の前記コ字状断面の溝７１の開放部を塞いで該本体部１と共に煙突効果（stack effect）で気流を発生させるための通気路７を形成する蓋体１１とからなる脱熱部材１５を具備することを特徴とする。
【００１４】
（２）前記（１）における前記本体部１の前記通気路７を構成するコ字状断面の溝７１の内壁に当該溝の延在方向に沿った多数の突条を有することを特徴とする。
【００１５】
（３）前記（１）における前記本体部１の前記通気路７を構成するコ字状断面の溝７１の内壁に多数の突起を有することを特徴とする。
【００１６】
（４）前記（１）における前記本体部１の前記通気路７を構成する蓋体１１の前記通気路７とは反対面に電源ユニット５が取り付けられていることを特徴とする。
【００１７】
（５）前記（４）における前記電源ユニット５は、前記蓋体１１にスペーサ６２を介して取り付けられ、前記スペーサ６２の長さを調整して前記蓋体１１との間に空気を流通させるための所望の間隙を形成していることを特徴とする。
【００１８】
（６）前記（４）における前記電源ユニット５は、電源ユニット防水カバー６に収納されていることを特徴とする。
【００１９】
（７）前記（１）における前記ＬＥＤパネル１０は、前記ＬＥＤ基板２１の主面に設置して前記多数のＬＥＤの発光光を前方に反射するリフレクター３を有し、
前記リフレクター３の全面を含む前記ＬＥＤパネル１０の全面を覆って前記ＬＥＤ基板収容部１６を防水する光透過保護板４を具備することを特徴とする。
【００２０】
（８）前記（７）における前記リフレクター３には、前記ＬＥＤ基板２１の主面に実装した前記ＬＥＤ素子２のそれぞれを個別に取り囲むファンネル状反射面３１が形成されていることを特徴とする。
【００２１】
（９）前記（７）における前記リフレクター３は、前記ＬＥＤパネル１０の前記ＬＥＤ基板２１について複数に区分して設置されていることを特徴とする。
【００２２】
本発明は、上記の各構成に限られるものではなく、本発明の技術思想を逸脱することなく、種々の変形が可能であることは言うまでもない。
【発明の効果】
【００２３】
本発明に係る大光量投光器１００は、複数個のＬＥＤパネル１０の縦軸方向で対向する上下辺をそれぞれ橋絡して横軸方向に並置し、該ＬＥＤパネル１０の縦軸回りで左右方向に回動して該ＬＥＤパネル１０の光投射面を個別に位置調整して固定可能に装架する可動枠８を備える。また、可動枠の横軸方向で対向する左右辺で支持し、当該可動枠８の横軸回りで仰角と伏角の上下方向に可動枠に装架されたＬＥＤパネル１０の光投射方向を一体的に調整して固定するための固定枠９を備え、上記可動枠８とで一体の照明装置とされる。
【００２４】
ＬＥＤパネル１０は、ＬＥＤ基板２１の背面を密着固定する凹部からなるＬＥＤ基板収容部１６を有して、該ＬＥＤ基板収容部１６の背面で、縦軸方向の上下に延在し横軸方向の左右に並設した複数のコ字状断面の溝７１を有する本体部１と、この本体部１のコ字状断面の溝７１を塞いで該本体部１と共に煙突効果（stack effect）で気流を発生させるための通気路７を形成する蓋体１１とで脱熱部材１５を構成している。
【００２５】
上記の構成とした大光量ＬＥＤ投光器１００は、本体部１を含めてアルミ材で構成され、かつ簡易な構成の脱熱手段を備えることで基地の投光器に比較して格段に軽量である。この大光量ＬＥＤ投光器１００を上下方向に立てた状態で所要の場所に設置する。この接地には、特別の架台を設ける必要はなく、固定枠９を当該設置場所に任意の固定手段で固定することで足りる。
【００２６】
この状態で給電線を接続して、点灯する。前記ＬＥＤパネル１０を構成するＬＥＤ素子２から出る熱がＬＥＤ基板２１から本体部１に熱伝導で伝達され、本体部１を昇温する。本体部１の通気路７にある空気はこの熱で温められて温度が上昇し、密度が低下して浮力が増す。その結果、通気路７の内部の空気は上方に流動し、上昇して上部開口から空中に放出される。
【００２７】
通気路７内の空気の上昇と放出に伴って、当該通気路７の下部開口から冷気が吸入され、所謂煙突効果が生じて通気路７の内部を連続的に空気流が通過する。この空気流の通過でＬＥＤ基板２１から伝達された熱が空気中に拡散される。これにより、ＬＥＤ素子２が過熱して発光能が低下し、あるいは破壊に至ることが阻止される。なお、電源ユニット５で発生した熱は、電源ユニット防水カバー自体での放熱と、電源ユニット防水カバー６と蓋体１１との間およびその周辺を流動する空気流によって所定温度以下に冷却される。
【００２８】
このように、本発明によれば、大きな放熱フィンを備えた従来のヒートシンク構造と比べて、脱熱構造をアルミニウムなどの軽量の金属を用い、簡素な押出し成形で構成でき、冷却ファンなどによる電力消費を要せず、構造が単純で設置工事などでの取り扱いが容易で低コストの大光量ＬＥＤ投光器を提供できる。
【図面の簡単な説明】
【００２９】
【図１】本発明に係る大光量ＬＥＤ投光器の実施例１の全体形状を説明する正面図である。
【図２】本発明に係る大光量ＬＥＤ投光器の実施例１の全体形状を説明する図１の矢印Ａ方向から見た上面図である。
【図３】本発明に係る大光量ＬＥＤ投光器の実施例１を構成するＬＥＤパネルの説明図である。
【図４】本発明に係る大光量ＬＥＤ投光器の実施例１の上下方向光照射角を調整して固定する可動枠の調整固定構造を説明する模式図である。
【図５】本発明に係る大光量ＬＥＤ投光器の実施例１の可動枠を説明する模式図である。
【図６】本発明に係る大光量ＬＥＤ投光器の実施例１の固定枠を説明する模式図である。
【図７】本発明に係る大光量ＬＥＤ投光器の実施例１のＬＥＤパネルを構成するレフレクターを説明する模式図である。
【図８】本発明に係る大光量ＬＥＤ投光器の実施例１のＬＥＤパネルを構成するＬＥＤ基板を説明する模式図である。
【図９】本発明に係る大光量ＬＥＤ投光器の実施例１のＬＥＤパネルを構成する光透過保護板を説明する模式図である。
【図１０】本発明に係る大光量ＬＥＤ投光器の実施例１のＬＥＤパネルを構成する本体部と蓋体を説明する模式図である。
【発明を実施するための形態】
【００３０】
以下、本発明の実施形態を、実施例の図面を参照して詳細に説明する。本発明に係る大光量ＬＥＤ投光器１００の基本構成は、前面を投光部とした複数のＬＥＤパネル１０を可動枠８に左右要綱に回転可能に取り付け、これを固定枠９に支点ネジで上下方向に回転可能に取り付けて構成される。
【実施例１】
【００３１】
図１は本発明に係る大光量ＬＥＤ投光器の実施例１の全体形状を説明する正面図、図２は本発明に係る大光量ＬＥＤ投光器の実施例１の全体形状を説明する図１の矢印Ａ方向から見た上面図である。また、図３は本発明に係る大光量ＬＥＤ投光器の実施例１を構成するＬＥＤパネルの説明図、図４は本発明に係る大光量ＬＥＤ投光器の実施例１の上下方向光照射角を調整して固定する可動枠の調整固定構造を説明する模式図である。図１と図２において、大光量投光器１００は、ＬＥＤ基板２１の主面に多数のＬＥＤ素子２を実装した外形が矩形を呈する１または複数（本実施例では５個）のＬＥＤパネル１０を縦方向に装架して構成される。
【００３２】
図３（ａ）は本実施例のＬＥＤパネルの正面図、図３（ｂ）は図３（ａ）の矢印Ｂ方向からみた長手方向側面図、図３（ｃ）は図３（ａ）の矢印Ｃ方向からみた短手方向側面図で、図３（ｂ）と図３（ｃ）では一部に内部を透しして示してある。本実施例のＬＥＤパネル１０は、図３（ａ）に示したように、縦軸方向（長手方向）に長軸を有する平面視が矩形状で、複数個のＬＥＤパネル１０の縦軸方向で対向する上下辺を可動枠８にそれぞれ橋絡して横軸方向に並置されて取り付けられる。ＬＥＤパネル１０は、その縦軸回りで左右方向（横軸方向）に回動して該ＬＥＤパネル１０の光投射面を個別に位置調整して可動枠８に固定される。本実施例では、図２に示したように、ＬＥＤパネル１０の左右角調整・固定ネジ１２を通り、可動枠８の平面に直角な線に対し、ＬＥＤパネル１０自身から右横方向をみた調整角θｒと左横方向をみた調整角θlを共に１０度とした。この横方向位置の調整は大光量ＬＥＤ投光器１００の設置場所の要求される照明パターンに合わせて行われる。
【００３３】
図４は大光量ＬＥＤ投光器の実施例１の可動枠と固定枠の取り付けと上下方向角の調整機能を説明するもので、図４（ａ）は上面図、図４（ｂ）は図４（ａ）を矢印Ｄ方向からみた正面図（ＬＥＤパネルは図示を省略）、図４（ｃ）は図４（ｂ）を矢印Ｅ方向からみた側面図である。ＬＥＤパネル１０を取り付けた可動枠８は固定枠９に取り付けられる。本実施例の固定枠９は横方向に延びるベース部材の両端に上方に植立したアームを形成したコ字状を呈し、このアーム部分に可動枠８を支点ネジ８３で取り付ける。そして、可動枠８の横軸回りで仰角と伏角の上下方向に可動枠８に装架された前記ＬＥＤパネル１０の光投射方向を一体的に調整し、所定位置で固定する。本実施例では、上下方向の調整角は固定枠９の植立面に対し約９０度の範囲で調整できるようになっている。すなわち、個々のＬＥＤパネル１０は、独立して上下方向と左右方向に光投射面の向き調整が可能となっており、照明エリアに対して要求された光投射パターンを設定できる。固定枠９は設置場所に適宜の手段で固定される。
【００３４】
ＬＥＤパネル１０は、図３（ｃ）に示されたように、そのＬＥＤ基板２１の背面を密着固定する凹部からなるＬＥＤ基板収容部１６を有している。ＬＥＤパネル１０はＬＥＤ基板収容部１６の背面で、前記縦軸方向の上下に延在し横軸方向の左右に並設された複数のコ字状断面の溝７１を有する本体部１と、この本体部１のコ字状断面の溝７１の開放部を塞いで該本体部１と共に煙突効果（stack effect）で気流を発生させるための通気路７を形成する蓋体１１とからなり、この構成で脱熱部材１５を構成している。
【００３５】
また、本体部１の通気路７を構成するコ字状断面の溝７１の内壁に当該溝の延在方向に沿った多数の突条を有せしめることで、通気路７の内壁表面の面積を大きくして空気流との接触面積を広げて脱熱効果を向上することができる。あるいは、本体部１の前記通気路７を構成するコ字状断面の溝７１の内壁に多数の突起を形成することでも同様の脱熱効果を向上することができる。
【００３６】
さらに、本体部１の通気路７を構成する蓋体１１の前記通気路７とは反対面に電源ユニット５が取り付けられる。電源ユニット５は、前記蓋体１１にスペーサ６２を介して取り付けられ、前記スペーサ６２の長さを調整して前記蓋体１１との間に空気を流通させるための所望の間隙を形成する。そして、電源ユニット５は、電源ユニット防水カバー６で外界と隔離され、全天候対応となっている。電源ユニット防水カバー６の側面には、電源ユニット取り付けネジ６１が設けられている。
【００３７】
この電源ユニット取り付けネジ６１は防水ケーブルクランプ構造となっている。一方の電源ユニット取り付けネジ６１（例えば、図３（ａ），（ｂ）の紙面下側）は外部電源からの給電ケーブルを引き込み、他方の電源ユニット取り付けネジ６１（例えば、図３（ａ），（ｂ）の紙面上側）はＬＥＤ基板収納部１６の中のＬＥＤ基板２１への電源供給ケーブルの引きだしを行う。なお、ＬＥＤ基板収納部１６への給電ケーブルの引きこみ部分も防水仕様となっているが、図示は省略した。
【００３８】
符号１２は、可動枠８の対向する左右編の間にＬＥＤパネル１０を橋絡する左右角調整・固定ネジである。左右角調整・固定ネジ１２は本体部１にタップピン１３で取り付けた支持枠１７に固定され、可動枠８の可動枠フランジ８１に調整・固定可能にＬＥＤパネルを取り付ける。
【００３９】
図５は本発明に係る大光量ＬＥＤ投光器の実施例１の可動枠を説明する模式図である。図５では図４に示した固定枠９を除去して示す。図５（ａ）は上面図、図５（ｂ）は正面図、図５（ｃ）は側面図である。可動枠８の両端には三角形の可動枠フランジ８１が取り付けられ、連結ビーム８６で補強されている。可動枠フランジ８１には支点ネジ穴８４と上下角調整・固定ネジ穴８５が形成されている。
【００４０】
図６は本発明に係る大光量ＬＥＤ投光器の実施例１の固定枠を説明する模式図で、同図（ａ）は正面図、同図（ｂ）は側面図である。固定枠９は、上方が解放されたコ字状をなし、側面に形成されたアーム状部材には、前記した支点ネジ穴８４と可動枠の上下調整溝９１が設けてある。
【００４１】
図７は本発明に係る大光量ＬＥＤ投光器の実施例１のＬＥＤパネルを構成するレフレクターを説明する模式図で、図７（ａ）は正面図、図７（ｂ）は側面図である。図３で説明したＬＥＤパネル１０には、そのＬＥＤ基板２１の主面にリフレクター３を有し、ＬＥＤ２の発光光を前方に反射するように設置されている。リフレクター３は、厚さが０．２５ｍｍのアルミニウム板、あるいは薄鉄板で形成される。ＬＥＤ基板２１の主面に実装したＬＥＤ２のそれぞれを個別に取り囲むファンネル状反射面３１が形成されている。ファンネル状反射面３１の表面は鏡面処理または白焼付け塗装仕上げとされている。ファンネル状反射面３１を除くリフレクター３の表面はファンネル状反射面３１の表面と同様、または白焼付け塗装仕上げとするのが望ましい。
【００４２】
リフレクター３は前記ＬＥＤパネル１０の前記ＬＥＤ基板２１について複数に区分して設置されている。本実施例では、各ＬＥＤパネル１０に１枚のＬＥＤ基板２１が収納され、１枚のＬＥＤ基板について２枚のリフレクター３が使用されている。図７はその１枚を示す。符号３２はＬＥＤ基板２１への取り付け部で、リフレクター３の平面部を裏面に切り起し、切り起した部分を固定辺３２として、ここにネジ穴を設けてある。リフレクター３の寸法例、ファンネル状反射面３１の寸法例は次の通りである。言うまでも無く、本発明はこれらの寸法に限定されるものではない。
【００４３】
リフレクター３の長手方向寸法Ｙ１：１４０ｍｍ
リフレクター３の短手方向寸法Ｘ１：１１６ｍｍ
ファンネル状反射面３１の深さｄ：３.５ｍｍ
ファンネル状反射面３１の後部開口径φ１：３．０ｍｍ
ファンネル状反射面３１の前部開口径φ２：８．０ｍｍ
ファンネル状反射面３１の開口角θφ：７１度
リフレクター３に設けるファンネル状反射面３１の数と配置は、ＬＥＤ基板２１に実装されるＬＥＤの数と配置に対応している。
【００４４】
図８は本発明に係る大光量ＬＥＤ投光器の実施例１のＬＥＤパネルを構成するＬＥＤ基板を説明する模式図で、図８（ａ）は正面図、図８（ｂ）は側面図である。このＬＥＤ基板２１は、例えば厚みが１ｍｍの高熱伝導セラミック板で構成され、その表面に［６×６］＋［６×６］＝７２個のＬＥＤ２が実装されている。そして、ＬＥＤ２の上に前記図７で説明したリフレクター３が縦方向に２枚設置される。図７における固定辺３２のネジ穴とＬＥＤ基板２１の固定穴２２にネジを通して両者を固定する。本実施例では、ＬＥＤ基板２１の縦方向寸法Ｙ２＝３７１ｍｍ、横方向寸法Ｘ２＝１３３ｍｍである。前記した各部材の寸法と同様に、本発明はこのような寸法に限定されるものではない。
【００４５】
図９は本発明に係る大光量ＬＥＤ投光器の実施例１のＬＥＤパネルを構成する光透過保護板を説明する模式図で、図９（ａ）は平面図、図９（ｂ）は側面図である。この光透過保護板４はガラス板に飛散防止フィルムを接着した厚さが２ｍｍものを用いている。この光透過保護板４の寸法は、縦方向寸法Ｙ３＝３７１ｍｍ、横方向寸法Ｘ３＝１３３ｍｍで、前記ＬＥＤ基盤と同じ寸法としている。
【００４６】
図１０は本発明に係る大光量ＬＥＤ投光器の実施例１のＬＥＤパネルを構成する本体部と蓋体を説明する模式図で、図１０（ａ）は表面側（前面側）平面図、図１０（ｂ）は側面図、図１０（ｃ）は蓋体の背面図、図１０（ｄ）は側面図である。本実施例の本体部１と蓋体１１は共にアルミニウム材の押し出し成形で形成したもので、表面をアルマイト処理してある。本体部１の表面側にはＬＥＤ基板収納部１６が形成されている。このＬＥＤ基板収納部１６には、ＬＥＤ基板２１、リフレクター３が収納され、その上を覆って光透過保護板４を設けている。光透過保護板４は、その周囲をゴムパッキン等を好適とする防水気密構造を介して本体部１の内縁に嵌め込まれ、ＬＥＤ基板収納部１６を密封している。
【００４７】
ＬＥＤ基板収容部１６の背面には、縦軸方向の上下に延在し横軸方向の左右に並設した複数のコ字状断面の溝７１を一体に有する。前記本体部１の前記コ字状断面の溝７１の開放部を塞いで該本体部１と共に煙突効果（stack effect）で気流を発生させるための通気路７を形成する蓋体１１が固定される。図１０（ｃ）は蓋体１１の背面を示し、図１０（ｄ）は側面を示す。通気路７と蓋体１１とで形成される通気路７を有する本体部１が脱熱部材１５を構成する。この本体部１の寸法例は次のとおりである。長手方向寸法Ｙ４＝３８０ｍｍ、短手方向Ｘ４＝１４２ｍｍ、厚さＤ４＝６６ｍｍである。また、蓋体１１の寸法例は以下のとおりである。長手方向Ｙ５＝３８０ｍｍ、短手方向Ｘ５＝１４６ｍｍ、厚さＤ５＝１２ｍｍである。
【００４８】
なお、本体部１の通気路７のコ字状断面の溝７１の内壁を平坦面としてもよいが、当該溝７１の延在方向に沿って多数の突条を設けることで空気との接触面積を増加させ、脱熱効果を向上できる。また、突条に限らず、多数の突起を設けてもよい。通気路７への蓋体１１の固定にはタッピングネジなどを用いることができる。
【００４９】
本体部１の前記通気路７を構成する蓋体１１の通気路７とは反対面に電源ユニット５が取り付けられる。蓋体１１には電源ユニット取り付け穴１４が設けられている。電源ユニット５は、前記図３で説明したように、蓋体１１のネジ穴１４にスペーサ６２を貫通するボルトで取り付けられる。このスペーサ６２の長さを調整して蓋体１１との間に空気を流通させるための所望の間隙を形成できる。
【００５０】
本実施例により、本体部１と蓋体１１で構成される通気路７の煙突効果を利用した脱熱構造（脱熱部材１５）によりＬＥＤ素子の発熱を効率よく放熱することができる。そのため、重量が大きく製作コストも大きい冷却フィンなどの放熱構造を要せず、また冷却ファンなどのような強制冷却手段を必要としない。
【００５１】
以上説明した実施例では、多数のＬＥＤ素子を搭載したＬＥＤパネル１０を可動枠８に５個取り付けたものとして説明した。可動枠に取り付けるＬＥＤパネル１０は照明エリアに状体に応じて最適な数とし、大光量投光器の数も同様の条件に応じて任意に変更することができる。
【００５２】
また、上記実施例では、矩形断面の通気路としたが、本発明はこれに限定されるものではなく、一側壁をＬＥＤ基板放熱板に接して固定した三角断面や半円あるいは部分円断面、多角形断面とすることも可能である。
【００５３】
本発明によれば、脱熱構造材にアルミニウムの押し出し成形品を用いるものであるため、軽量で放熱ファンなどの強制冷却手段を用いることなしに、比較的簡単な構造、かつ組立作業も容易な軽量のＬＥＤ投光器を提供することができる。
【符号の説明】
【００５４】
１・・・本体部
１１・・・蓋体，
１２・・・タップピン
１４・・・電源ユニット取り付け穴
１５・・・脱熱部材
１６・・・ＬＥＤ基板収容部
１７・・・支持枠
２・・・ＬＥＤ素子
２１・・・ＬＥＤ基板
２２・・・固定穴
３・・・リフレクター
３１・・・ファンネル状反射面
３２・・・固定片
４・・・光透過保護板
５・・・電源ユニット
６・・・電源ユニット防水カバー
６１・・・電源ユニット取り付けネジ
６２・・・スペーサ
７・・・通気路
７１・・・溝
８・・・可動枠
８１・・・可動枠フランジ
８２・・・上下角調整・固定ネジ
８３・・・支点ネジ
８４・・・支点ネジ穴
８５・・・上下角調整・固定ネジ穴
８６・・・連結フレーム
９・・・固定枠
９１・・・可動枠の調整溝、
１０・・・ＬＥＤパネル
１００・・・大光量投光器
【図１】
0006433016.tif 000002
【図２】
0006433016.tif 000003
【図３】
0006433016.tif 000004
【図４】
0006433016.tif 000005
【図５】
0006433016.tif 000006
【図６】
0006433016.tif 000007
【図７】
0006433016.tif 000008
【図８】
0006433016.tif 000009
【図９】
0006433016.tif 000010
【図１０】
0006433016.tif 000011